【手続補正書】
【提出日】平成18年2月1日(2006.2.1)
【手続補正１】
【補正対象書類名】明細書
【補正対象項目名】発明の名称
【補正方法】変更
【補正の内容】
【発明の名称】画像処理装置
【手続補正２】
【補正対象書類名】明細書
【補正対象項目名】特許請求の範囲
【補正方法】変更
【補正の内容】
【特許請求の範囲】
【請求項１】  複数のカラーモードで原稿を読み取り可能な画像読取手段と、前記読み取った画像を色毎に記憶する画像メモリと、画像形成を行う画像形成手段と、前記画像メモリ上に記憶された画像データを前記画像形成手段に各色毎に転送するコントローラと、を有し、各原稿画像にスタンプを合成するスタンプ機能と、前記原稿画像の表紙ページを他のページと異なる印刷用紙に印刷する表紙モードと、の設定値の組合せにより、前記表紙ページを含めて全ページとも前記スタンプ印刷を行う場合に、前記表紙ページのスタンプおよび他のページのスタンプの印字色を変更することを特徴とする画像処理装置。
【請求項２】  複数のカラーモードで原稿を読み取り可能な画像読取手段と、前記読み取った画像を色毎に記憶する画像メモリと、画像形成を行う画像形成手段と、前記画像メモリ上に記憶された画像データを前記画像形成手段に各色毎に転送するコントローラと、を有し、各印刷画像にページ番号を合成するページ印字機能と、前記原稿画像の表紙ページを他のページと異なる印刷用紙に印刷する表紙モードと、の設定値の組合せにより、前記表紙ページにおける前記ページ番号と前記他のページにおける前記ページ番号の印字色を変更することを特徴とする画像処理装置。
【請求項３】  複数のカラーモードで原稿を読取可能な画像読取手段と、前記読み取った画像を色毎に記憶する画像メモリと、画像形成を行う画像形成手段と、前記画像メモリ上に記憶された画像データを前記画像形成手段に各色毎に転送するコントローラと、を有し、各原稿画像に現在の日付を付加する日付印字機能と、前記原稿画像の表紙ページを他のページと異なる印刷用紙に印刷する表紙モードと、の設定値の組合せにより、前記表紙ページの前記日付と前記他のページの前記日付の印字色を変更することを特徴とする画像処理装置。
【手続補正３】
【補正対象書類名】明細書
【補正対象項目名】０００１
【補正方法】変更
【補正の内容】
【０００１】
【発明の属する技術分野】
本発明は、画像処理装置に関し、特に、原稿画像に合成する情報の色設定を行う画像処理装置に関する。
【手続補正４】
【補正対象書類名】明細書
【補正対象項目名】０００４
【補正方法】変更
【補正の内容】
【０００４】
本発明は、上記問題点に鑑みてなされたものであり、スタンプ機能と表紙モードの設定値の組合せにより、表紙ページのスタンプと本文中のページのスタンプの印字色を変更することを可能とし、ユーザーが所望する印刷結果を出力する画像処理装置を提供することを目的とする。
【手続補正５】
【補正対象書類名】明細書
【補正対象項目名】０００５
【補正方法】変更
【補正の内容】
【０００５】
また、本発明は、ページ印字機能と表紙モードの設定値の組合せにより、表紙ページのページ印字と本文中のページ印字色を変更することを可能とし、ユーザーが所望する印刷結果を出力する画像処理装置を提供することを目的とする。
【手続補正６】
【補正対象書類名】明細書
【補正対象項目名】０００６
【補正方法】変更
【補正の内容】
【０００６】
また、本発明は、日付印字機能と表紙モードの設定値の組合せにより、表紙ページの日付印字と本文中の日付印字色を変更することを可能とし、ユーザーが所望する印刷結果を出力する画像処理装置を提供することを目的とする。
【手続補正７】
【補正対象書類名】明細書
【補正対象項目名】０００７
【補正方法】変更
【補正の内容】
【０００７】
かかる目的を達成するため、請求項１記載の発明は、複数のカラーモードで原稿を読み取り可能な画像読取手段と、読み取った画像を色毎に記憶する画像メモリと、画像形成を行う画像形成手段と、画像メモリ上に記憶された画像データを画像形成手段に各色毎に転送するコントローラと、を有し、各原稿画像にスタンプを合成するスタンプ機能と、原稿画像の表紙ページを他のページと異なる印刷用紙に印刷する表紙モードと、の設定値の組合せにより、前記表紙ページを含めて全ページとも前記スタンプ印刷を行う場合に、前記表紙ページのスタンプおよび他のページのスタンプの印字色を変更することを特徴とする。
【手続補正８】
【補正対象書類名】明細書
【補正対象項目名】０００８
【補正方法】変更
【補正の内容】
【０００８】
また、請求項２記載の発明は、複数のカラーモードで原稿を読み取り可能な画像読取手段と、読み取った画像を色毎に記憶する画像メモリと、画像形成を行う画像形成手段と、画像メモリ上に記憶された画像データを画像形成手段に各色毎に転送するコントローラと、を有し、各印刷画像にページ番号を合成するページ印字機能と、原稿画像の表紙ページを他のページと異なる印刷用紙に印刷する表紙モードと、の設定値の組合せにより、表紙ページにおけるページ番号と他のページにおけるページ番号の印字色を変更することを特徴とする。
【手続補正９】
【補正対象書類名】明細書
【補正対象項目名】０００９
【補正方法】変更
【補正の内容】
【０００９】
また、請求項３記載の発明は、複数のカラーモードで原稿を読取可能な画像読取手段と、読み取った画像を色毎に記憶する画像メモリと、画像形成を行う画像形成手段と、画像メモリ上に記憶された画像データを画像形成手段に各色毎に転送するコントローラと、を有し、各原稿画像に現在の日付を付加する日付印字機能と、原稿画像の表紙ページを他のページと異なる印刷用紙に印刷する表紙モードと、の設定値の組合せにより、表紙ページの日付と他のページの日付の印字色を変更することを特徴とする。
【手続補正１０】
【補正対象書類名】明細書
【補正対象項目名】００１１
【補正方法】変更
【補正の内容】
【００１１】
「画像読取手段」は、デジタル複写機で用いられ、光源を原稿に照射し、その反射光を「固体作像素子＝ＣＣＤ」で電気信号に変換し、必要な画像処理を行う機能を有する。
【手続補正１１】
【補正対象書類名】明細書
【補正対象項目名】００１２
【補正方法】変更
【補正の内容】
【００１２】
「画像形成手段」は、デジタル複写機で用いられ、電気信号で送られた画像イメージを電子写真、感熱、熱転写、インクジェット等の手段により普通紙、感熱紙等に形成する装置である。
【手続補正１２】
【補正対象書類名】明細書
【補正対象項目名】００１４
【補正方法】変更
【補正の内容】
【００１４】
「ビデオ信号」は、前述の「画像読取手段」で変換された画像の電気信号、「画像形成手段」へ入力される画像の電気信号、及び画像の電気信号と同期をとるための信号である。
【手続補正１３】
【補正対象書類名】明細書
【補正対象項目名】００１５
【補正方法】変更
【補正の内容】
【００１５】
「ビデオ信号」を「画像読取手段」、「画像形成手段」、「アプリケーション」間でやりとりするためには、装置間で情報を伝達しあう必要がある。この手段を「制御信号」または「コマンド」発行と表現する。
【手続補正１４】
【補正対象書類名】明細書
【補正対象項目名】００２４
【補正方法】変更
【補正の内容】
【００２４】
以下、図面を用いて、本発明の一実施形態における画像処理装置の基本構成について説明する。
【手続補正１５】
【補正対象書類名】明細書
【補正対象項目名】００３１
【補正方法】変更
【補正の内容】
【００３１】
［システムハード構成の説明］
以下、図３を用いて、本実施形態における画像処理装置のハード構成について説明する。
【手続補正１６】
【補正対象書類名】明細書
【補正対象項目名】図面の簡単な説明
【補正方法】変更
【補正の内容】
【図面の簡単な説明】
【図１】
本発明の一実施形態における画像処理装置におけるエンジン構成の概略図である。
【図２】
本発明の一実施形態における色の３原色を示す図である。
【図３】
本発明の一実施形態における画像処理装置におけるムハード構成を示す図である。
【図４】
本発明の一実施形態におけるスキャナユニットからコントローラメモリへの画像転送イメージを示す図である。
【図５】
本発明の一実施形態における画像処理装置によるシングルカラーコピーを示す図である。
【図６】
本発明の一実施形態における画像処理装置による２色コピーを示す図である。
【図７】
本発明の一実施形態における画像処理装置によるスタンプ制御を示す図である。
【図８】
本発明の一実施形態における画像処理装置によるページ印字制御を示す図である。
【図９】
本発明の一実施形態における画像処理装置によるページ印字コピーを示す図である。
【図１０】
本発明の一実施形態における画像処理装置による日付印字制御を示す図である。
【図１１】
本発明の一実施形態における画像処理装置の表紙モードを示す図である。
【図１２】
本発明の一実施形態における画像処理装置における表紙およびスタンプ処理を示すフローチャートである。
【図１３】
本発明の一実施形態における画像処理装置による印刷結果を示す第１の図である。
【図１４】
本発明の一実施形態における画像処理装置における表紙およびページ印字処理を示すフローチャートである。
【図１５】
本発明の一実施形態における画像処理装置による印刷結果を示す第２の図である。
【図１６】
本発明の一実施形態における画像処理装置における表紙および日付印字処理を示すフローチャートである。
【図１７】
本発明の一実施形態における画像処理装置による印刷結果を示す第３の図である。
【図１８】
本発明の一実施形態におけるスタンプ色とスタンプを合成するフレームとを示す第１の図である。
【図１９】
本発明の一実施形態におけるスタンプ色とスタンプを合成するフレームとを示す第２の図である。
【図２０】
本発明の一実施形態におけるスタンプ色とスタンプを合成するフレームとを示す第３の図である。
【符号の説明】
１  ＡＤＦ
２  原稿読み取り装置
３  画像書き込みユニット
４  画像形成ユニット
５  １次転写ユニット
６  ２次転写ユニット
７  定着ユニット
２１  キャリッジ
２２  レンズ
２３  ＣＣＤ
２４  バッファ
３１  レーザービーム
４１  感光体
４２  帯電チャージャー
４３  カラー現像部
４４  ドラムクリーニング部
５１  中間転写ベルト
５２  １次転写部
５３  テンションローラ
５４、５５  ２次転写ローラ
５６  クリーニング部
３０１  スキャナユニット
３０２  操作部
３０３  画像形成ユニット
３０４  プリンタエンジン